(57)【要約】【課題】  コンテンツを再生する場合において、コンテンツの内容に応じて適切な映像効果および／または音響効果を付与して再生することができるコンテンツ再生制御装置を提供する。【解決手段】  本発明は、記録媒体に記録されたコンテンツの再生を制御するコンテンツ再生制御装置に関する。コンテンツ再生制御装置は、コンテンツの制作元と、そのコンテンツの再生に関する設定である再生設定とを関連付けた設定関連情報を記憶している。コンテンツ再生制御装置は、記録媒体に記録された情報に基づいて当該記録媒体に記録されたコンテンツの制作元を特定する。さらに、特定された制作元に対応する再生設定を、設定関連情報を参照して決定する。コンテンツの再生は、決定された再生設定に従って制御される。【選択図】  図１
2007028306.tif 000002
【特許請求の範囲】
【請求項１】
記録媒体に記録されたコンテンツの再生を制御するコンテンツ再生制御装置であって、
コンテンツの制作元と、そのコンテンツの再生に関する設定である再生設定とを関連付けた設定関連情報を記憶する第１記憶手段と、
前記記録媒体に記録された情報に基づいて当該記録媒体に記録されたコンテンツの制作元を特定する制作元特定手段と、
前記特定された制作元に対応する再生設定を、前記設定関連情報を参照して決定する設定決定手段と、
前記決定された再生設定に従って、前記記録媒体に記録されたコンテンツの再生を制御する再生制御手段とを備える、コンテンツ再生制御装置。
【請求項２】
前記設定関連情報は、
コンテンツの制作元と、その制作元によって制作されたコンテンツのジャンルとを関連付ける制作元関連情報と、
コンテンツのジャンルと、そのジャンルのコンテンツを再生する場合の再生設定とを関連付けるジャンル関連情報とを含み、
前記設定決定手段は、
前記特定された制作元に対応するジャンルを、前記制作元関連情報を参照して決定する第１決定手段と、
前記決定されたジャンルに対応する再生設定を、前記ジャンル関連情報を参照して決定する第２決定手段とを含む、請求項１に記載のコンテンツ再生制御装置。
【請求項３】
前記記録媒体には、それに記録されているコンテンツの制作元を示す制作元情報が記録されており、
前記制作元特定手段は、前記制作元情報を前記記録媒体から読み取ることによってコンテンツの制作元を特定する、請求項１に記載のコンテンツ再生制御装置。
【請求項４】
前記記録媒体に記録されているコンテンツは、暗号鍵によって暗号化されており、
コンテンツを復号するための暗号鍵と、その暗号鍵を使用する制作元とを関連付ける暗号鍵関連情報を記憶する第２記憶手段をさらに備え、
前記制作元特定手段は、前記記録媒体に記録されているコンテンツを複合するための暗号鍵に対応する制作元を、前記暗号鍵関連情報を参照して特定する、請求項１に記載のコンテンツ再生制御装置。
【請求項５】
前記記録媒体に記録されているコンテンツには、当該コンテンツの制作元を表す映像および音声の少なくとも一方が含まれており、
コンテンツの制作元と、その制作元を表す映像および音声とを関連付けた映像音声関連情報を記憶する第３記憶手段をさらに備え、
前記制作元特定手段は、前記記録媒体に記録されているコンテンツに含まれている、当該コンテンツの制作元を表す映像および音声に対応する制作元を、前記映像音声関連情報を参照して特定する、請求項１に記載のコンテンツ再生制御装置。
【請求項６】
前記記録媒体に記録されているコンテンツは、暗号鍵によって暗号化されており、
コンテンツを復号するための暗号鍵と、その暗号鍵を使用する制作元とを関連付ける暗号鍵関連情報を記憶する第２記憶手段をさらに備え、
前記制作元特定手段は、
前記記録媒体に、それに記録されているコンテンツの制作元を示す制作元情報が記録されているか否かを検出し、制作元情報が記録されている場合、当該制作元情報によってコンテンツの制作元を特定する第１特定手段と、
前記第１特定手段によって制作元情報が記録されていないことが検出された場合、前記記録媒体に記録されているコンテンツを複合するための暗号鍵に対応する制作元を、前記暗号鍵関連情報を参照して特定する第２特定手段とを含む、請求項１に記載のコンテンツ再生制御装置。
【請求項７】
前記記録媒体に記録されているコンテンツには、当該コンテンツの制作元を表す映像および音声の少なくとも一方が含まれており、
コンテンツの制作元と、その制作元を表す映像および音声とを関連付けた映像音声関連情報を記憶する第３記憶手段をさらに備え、
前記制作元特定手段は、
前記記録媒体に、それに記録されているコンテンツの制作元を示す制作元情報が記録されているか否かを検出し、制作元情報が記録されている場合、当該制作元情報によってコンテンツの制作元を特定する第１特定手段と、
前記第１特定手段によって制作元情報が記録されていないことが検出された場合、前記記録媒体に記録されているコンテンツに含まれている、当該コンテンツの制作元を表す映像および音声に対応する制作元を、前記映像音声関連情報を参照して特定する第２特定手段とを含む、請求項１に記載のコンテンツ再生制御装置。
【請求項８】
前記記録媒体に記録されているコンテンツは、暗号鍵によって暗号化されており、
前記記録媒体に記録されているコンテンツには、当該コンテンツの制作元を表す映像および音声の少なくとも一方が含まれており、
コンテンツを復号するための暗号鍵と、その暗号鍵を使用する制作元とを関連付ける暗号鍵関連情報を記憶する第２記憶手段と、
コンテンツの制作元と、その制作元を表す映像および音声とを関連付けた映像音声関連情報を記憶する第３記憶手段とをさらに備え、
前記制作元特定手段は、
前記暗号鍵関連情報を参照して、前記記録媒体に記録されているコンテンツを複合するための暗号鍵に対応する制作元から再生設定が一意に決まるか否かを判別し、制作元が一意に決まると判別される場合、当該制作元を当該コンテンツの制作元として特定する第１特定手段と、
前記第１特定手段によって制作元が一意に決まらないと判別された場合、前記記録媒体に記録されているコンテンツを複合するための暗号鍵に対応する制作元を、前記暗号鍵関連情報を参照して特定する第２特定手段とを含む、請求項１に記載のコンテンツ再生制御装置。
【請求項９】
前記設定関連情報は、ユーザによって変更することが可能である、請求項１に記載のコンテンツ再生制御装置。
【請求項１０】
記録媒体に記録されたコンテンツの再生を制御する方法であって、
コンテンツの制作元と、そのコンテンツの再生に関する設定である再生設定とを関連付けた設定関連情報を予め記憶しておき、
前記記録媒体に記録された情報に基づいて当該記録媒体に記録されたコンテンツの制作元を特定する制作元特定ステップと、
前記特定された制作元に対応する再生設定を、前記設定関連情報を参照して決定する設定決定ステップと、
前記決定された再生設定に従って、前記記録媒体に記録されたコンテンツの再生を制御する再生制御ステップとを備える、コンテンツ再生制御方法。
【請求項１１】
記録媒体に記録されたコンテンツの再生を制御するコンテンツ再生制御装置のコンピュータで実行されるプログラムであって、
前記コンテンツ再生制御装置は、コンテンツの制作元と、そのコンテンツの再生に関する設定である再生設定とを関連付けた設定関連情報を記憶しており、
前記記録媒体に記録された情報に基づいて当該記録媒体に記録されたコンテンツの制作元を特定する制作元特定ステップと、
前記特定された制作元に対応する再生設定を、前記設定関連情報を参照して決定する設定決定ステップと、
前記決定された再生設定に従って、前記記録媒体に記録されたコンテンツの再生を制御する再生制御ステップとを前記コンピュータに実行させるプログラム。
【発明の詳細な説明】
【技術分野】
【０００１】
本発明は、各種の光ディスク等の記録媒体に記録されたコンテンツを再生するコンテンツ再生制御装置に関し、より特定的には、映像および／または音声の再生モードをコンテンツの内容に応じて変化させて再生を行うコンテンツ再生制御装置に関する。
【背景技術】
【０００２】
従来、映画や音楽などのコンテンツを再生するコンテンツ再生制御装置において、コンテンツの内容に応じた映像効果や音響効果を付加する技術がある。具体的には、再生するコンテンツが映画コンテンツであるか音楽コンテンツ（ライブ映像等）であるかによって、映像効果または音響効果に関する設定を変化させるのである。このような技術においてはコンテンツのジャンル（上記の例では映画コンテンツであるか音楽コンテンツであるか）を判別することが重要となる。
【０００３】
従来の再生装置で用いられるジャンル判別方法としては、再生すべきコンテンツの音声信号の信号形式（具体的には符号化方式）によって、コンテンツのジャンルを判別する方法がある（例えば、特許文献１参照）。例えば、再生すべきコンテンツの音声信号がＬＰＣＭである場合には音楽コンテンツと判別し、ＡＣ−３やＤＴＳである場合には映画コンテンツと判別するのである。
【特許文献１】特開２００１−２５０３３３号公報
【発明の開示】
【発明が解決しようとする課題】
【０００４】
しかし、上記特許文献１に記載の方法では、コンテンツのジャンルを必ずしも正確に判別することができなかった。なぜなら、現在では音楽コンテンツの音声信号の符号化方式としてＡＣ−３やＤＴＳを用いる場合も多く、コンテンツのジャンルと符号化方式とが必ずしも対応していないからである。したがって、上記方法では、コンテンツのジャンルを誤判定してしまうおそれがあり、その結果、コンテンツの内容（ジャンル）に応じた適切な再生モードでコンテンツを再生することができなかった。この場合、コンテンツに与える映像効果や音響効果は、意図した効果を奏さないばかりか、かえって逆効果になってしまう。
【０００５】
それ故に、本発明の目的は、コンテンツを再生する場合において、コンテンツの内容に応じて適切な映像効果および／または音響効果を付与して再生することができるコンテンツ再生制御装置を提供することである。
【課題を解決するための手段】
【０００６】
本発明では、上記課題を解決するために、次の構成を採用した。すなわち、第１の発明は、記録媒体に記録されたコンテンツの再生を制御するコンテンツ再生制御装置である。コンテンツ再生制御装置は、コンテンツの制作元と、そのコンテンツの再生に関する設定である再生設定とを関連付けた設定関連情報を記憶する第１記憶手段と、記録媒体に記録された情報に基づいて当該記録媒体に記録されたコンテンツの制作元を特定する制作元特定手段と、特定された制作元に対応する再生設定を、設定関連情報を参照して決定する設定決定手段と、決定された再生設定に従って、記録媒体に記録されたコンテンツの再生を制御する再生制御手段とを備える。
【０００７】
第２の発明においては、設定関連情報は、コンテンツの制作元と、その制作元によって制作されたコンテンツのジャンルとを関連付ける制作元関連情報と、コンテンツのジャンルと、そのジャンルのコンテンツを再生する場合の再生設定とを関連付けるジャンル関連情報とを含んでいてもよい。設定決定手段は、特定された制作元に対応するジャンルを、制作元関連情報を参照して決定する第１決定手段と、決定されたジャンルに対応する再生設定を、ジャンル関連情報を参照して決定する第２決定手段とを含む。
【０００８】
第３の発明においては、記録媒体には、それに記録されているコンテンツの制作元を示す制作元情報が記録されていてもよい。このとき、制作元特定手段は、制作元情報を記録媒体から読み取ることによってコンテンツの制作元を特定する。
【０００９】
第４の発明においては、記録媒体に記録されているコンテンツは、暗号鍵によって暗号化されていてもよい。このとき、コンテンツ再生制御装置は、コンテンツを復号するための暗号鍵と、その暗号鍵を使用する制作元とを関連付ける暗号鍵関連情報を記憶する第２記憶手段をさらに備えている。制作元特定手段は、記録媒体に記録されているコンテンツを複合するための暗号鍵に対応する制作元を、暗号鍵関連情報を参照して特定する。
【００１０】
第５の発明においては、記録媒体に記録されているコンテンツには、当該コンテンツの制作元を表す映像および音声の少なくとも一方が含まれていてもよい。このとき、コンテンツ再生制御装置は、コンテンツの制作元と、その制作元を表す映像および音声とを関連付けた映像音声関連情報を記憶する第３記憶手段をさらに備えている。制作元特定手段は、記録媒体に記録されているコンテンツに含まれている、当該コンテンツの制作元を表す映像および音声に対応する制作元を、映像音声関連情報を参照して特定する。
【００１１】
第６の発明においては、記録媒体に記録されているコンテンツは、暗号鍵によって暗号化されていてもよい。このとき、コンテンツ再生制御装置は、コンテンツを復号するための暗号鍵と、その暗号鍵を使用する制作元とを関連付ける暗号鍵関連情報を記憶する第２記憶手段をさらに備えている。制作元特定手段は、記録媒体に、それに記録されているコンテンツの制作元を示す制作元情報が記録されているか否かを検出し、制作元情報が記録されている場合、当該制作元情報によってコンテンツの制作元を特定する第１特定手段と、第１特定手段によって制作元情報が記録されていないことが検出された場合、記録媒体に記録されているコンテンツを複合するための暗号鍵に対応する制作元を、暗号鍵関連情報を参照して特定する第２特定手段とを含む。
【００１２】
第７の発明においては、記録媒体に記録されているコンテンツには、当該コンテンツの制作元を表す映像および音声の少なくとも一方が含まれていてもよい。このとき、コンテンツ再生制御装置は、コンテンツの制作元と、その制作元を表す映像および音声とを関連付けた映像音声関連情報を記憶する第３記憶手段をさらに備えている。制作元特定手段は、記録媒体に、それに記録されているコンテンツの制作元を示す制作元情報が記録されているか否かを検出し、制作元情報が記録されている場合、当該制作元情報によってコンテンツの制作元を特定する第１特定手段と、第１特定手段によって制作元情報が記録されていないことが検出された場合、記録媒体に記録されているコンテンツに含まれている、当該コンテンツの制作元を表す映像および音声に対応する制作元を、映像音声関連情報を参照して特定する第２特定手段とを含む。
【００１３】
第８の発明においては、記録媒体に記録されているコンテンツは、暗号鍵によって暗号化されていてもよい。また、記録媒体に記録されているコンテンツには、当該コンテンツの制作元を表す映像および音声の少なくとも一方が含まれていてもよい。このとき、コンテンツ再生制御装置は、コンテンツを復号するための暗号鍵と、その暗号鍵を使用する制作元とを関連付ける暗号鍵関連情報を記憶する第２記憶手段と、コンテンツの制作元と、その制作元を表す映像および音声とを関連付けた映像音声関連情報を記憶する第３記憶手段とをさらに備えている。制作元特定手段は、暗号鍵関連情報を参照して、記録媒体に記録されているコンテンツを複合するための暗号鍵に対応する制作元から再生設定が一意に決まるか否かを判別し、制作元が一意に決まると判別される場合、当該制作元を当該コンテンツの制作元として特定する第１特定手段と、第１特定手段によって制作元が一意に決まらないと判別された場合、記録媒体に記録されているコンテンツを複合するための暗号鍵に対応する制作元を、暗号鍵関連情報を参照して特定する第２特定手段とを含む。
【００１４】
第９の発明においては、設定関連情報は、ユーザによって変更することが可能であってもよい。
【００１５】
なお、上記の発明は、コンピュータに上記再生制御装置の機能を実現させるプログラムの形態で提供されてもよいし、上記再生制御装置において行われるコンテンツ再生制御方法の形態で提供されてもよい。
【発明の効果】
【００１６】
第１の発明によれば、記録媒体に含まれている情報（制作元情報、使用する暗号鍵、またはトレーラ）に基づいて、記録媒体に記録されているコンテンツの制作元を特定する。ここで、一般的には、１つの制作元が制作しているコンテンツのジャンルは１種類であるので、コンテンツのジャンルを制作元から推測することができる。したがって、本発明によれば、コンテンツの制作元に基づいてコンテンツの内容（ジャンル）を判別することによって、コンテンツの内容の判別を正確に行うことができる。それ故、コンテンツの内容に応じた適切な映像効果および／または音響効果を付与してコンテンツを再生することができる。
【００１７】
第２の発明によれば、制作元からジャンルを介してコンテンツの再生設定を正確に設定することができる。
【００１８】
第３の発明によれば、記録媒体に記録されている制作元情報を用いることによって、簡易な方法でコンテンツの制作元を特定することができる。
【００１９】
第４および第５の発明によれば、記録媒体に制作元情報が記録されていない場合でもコンテンツの制作元を特定することができる。
【００２０】
第６および第７の発明によれば、記録媒体に制作元情報が記録されていれば簡易な方法で制作元を特定することができるとともに、記録媒体に制作元情報が記録されていない場合でもコンテンツの制作元を特定することができる。
【００２１】
第８の発明によれば、暗号鍵によって制作元が特定できない場合でも、コンテンツの制作元を特定することができる。
【００２２】
第９の発明によれば、設定関連情報に登録されていない制作元がある場合でも、ユーザが修正することによって、制作元と再生設定との組み合わせを増加させることができる。したがって、制作元を容易に追加することができる。
【発明を実施するための最良の形態】
【００２３】
図１は、本発明の一実施形態に係るコンテンツ再生制御装置の機能的な構成を示すブロック図である。図１に示すコンテンツ再生制御装置１は、記録媒体２を着脱可能に装着することができ、図示しない再生装置（例えばテレビ等）に接続されている。コンテンツ再生制御装置１は、記録媒体２に記録されているコンテンツのデータを読み取って当該コンテンツを再生装置に再生させるものである。コンテンツ再生制御装置１は、読取部３、制作元特定部４、暗号鍵関連情報記憶部５、トレーラ関連情報記憶部６、設定決定部７、設定関連情報記憶部１０、再生制御部１３、および、登録部１４を備えている。
【００２４】
読取部３は、コンテンツ再生制御装置１に装着された記録媒体２に記録されている情報を読み取る。本実施形態においては、記録媒体２には、再生すべきコンテンツのデータが少なくとも含まれている。記録媒体２には、コンテンツの制作元を示す制作元情報が記録されていてもよい。読取部３は、読み取ったコンテンツを制作元特定部４または再生制御部１３に出力する。コンテンツは、暗号鍵によって暗号化されていてもよく、コンテンツが暗号化されている場合、読取部３は、暗号鍵によってコンテンツを復号して出力する。
【００２５】
制作元特定部４は、読取部３によって読み取られた情報に基づいて、記録媒体２に記録されているコンテンツの制作元を特定する。特定された制作元を示す情報は、設定決定部７に出力される。詳細は後述するが、制作元特定部４は、記録媒体２に記録されている上記制作元情報や、コンテンツを復号するための暗号鍵や、コンテンツに含まれているトレーラを用いてコンテンツの制作元を特定する。なお、トレーラとは、コンテンツを制作した制作元（制作会社や制作スタジオ）個別の映像および／または音声であり、制作元を表す映像および／または音声である。例えばＤＶＤ−Ｖｉｄｅｏのコンテンツの場合には、通常、トレーラはコンテンツの最初に再生され、必ず再生されるようにユーザがスキップ等の操作ができないように設定されている。
【００２６】
暗号鍵関連情報記憶部５は、暗号鍵関連情報を記憶している。暗号鍵関連情報は、コンテンツを復号するための暗号鍵と、その暗号鍵を使用する制作元とを関連付ける情報である。図２は、暗号鍵関連情報の一例を示す図である。図２に示すように、暗号鍵と制作元とは互いに対応している。なお、図２に示す「暗号鍵Ａ」の場合のように、同じ暗号鍵を複数の制作元が使用していることもある。制作元特定部４は、暗号鍵関連情報を参照してコンテンツの制作元を特定する。
【００２７】
トレーラ関連情報記憶部６は、トレーラ関連情報を記憶している。トレーラ関連情報とは、コンテンツの制作元と、その制作元を表すトレーラとを関連付ける情報である。図３は、トレーラ関連情報の一例を示す図である。図３に示すトレーラ関連情報は、コンテンツの制作元と、その制作元を表すトレーラの画像とを関連付けるものである。また、図４は、トレーラ関連情報の他の一例を示す図である。図４に示すトレーラ関連情報は、コンテンツの制作元と、その制作元を表すトレーラの音楽とを関連付けるものである。トレーラ関連情報は、図３に示すようなトレーラの画像を含むものであってもよいし、図４に示すようなトレーラの音楽を含むものであってもよい。
【００２８】
設定決定部７は、制作元特定部４によって特定された制作元に基づいて、記録媒体２に記録されているコンテンツの再生に関する設定（再生設定）を決定する。再生設定とは、具体的には、コンテンツを再生する際にコンテンツに対して行う映像効果や音響効果に関する設定である。従来より、例えば「映画モード」や「音楽再生モード」のようなモードが用意されているコンテンツ再生制御装置があるが、再生設定はこれらのモードに相当する。なお、映像効果に関する設定としては、例えば、映像の明るさに関する設定や、輪郭の明瞭さに関する設定等が考えられる。また、音響効果に関する設定としては、例えば、各周波数帯域のレベルに関する設定や、５．１チャンネル再生を行う場合には、各スピーカにおける出力レベルに関する設定等が考えられる。設定決定部７によって決定された再生設定を示す情報は、再生制御部１３へ出力される。
【００２９】
本実施形態では、設定決定部７は、第１決定部８および第２決定部９を含む。第１決定部８は、制作元特定部４によって特定された制作元に基づいて、その制作元が制作しているコンテンツのジャンルを決定する。第２決定部９は、第１決定部８によって決定されたジャンルに基づいて、そのジャンルのコンテンツを再生する際の再生設定を決定する。
【００３０】
設定関連情報記憶部１０は、設定関連情報を記憶している。設定関連情報とは、コンテンツの制作元と、そのコンテンツを再生する際に設定すべき再生設定とを関連付けた情報である。具体的には、本実施形態では、設定関連情報は、制作元関連情報およびジャンル関連情報を含む。
【００３１】
制作元関連情報は、コンテンツの制作元と、その制作元によって制作されたコンテンツのジャンルとを関連付ける情報である。図５は、制作元関連情報の一例を示す図である。本実施形態では、コンテンツのジャンルは「映画」および「音楽」の２種類であるとする。各制作元には、「映画」および「音楽」のうちのいずれか１つのジャンルが対応付けられている。
【００３２】
ジャンル関連情報は、コンテンツのジャンルと、そのジャンルのコンテンツを再生する場合の再生設定とを関連付ける情報である。図６は、ジャンル関連情報の一例を示す図である。ジャンル関連情報においては、「映画」のジャンルについて「設定Ａ」という再生設定が対応付けられ、「音楽」のジャンルについて「設定Ｂ」という再生設定が対応付けられる。再生設定が音響効果に関する設定である場合には、「設定Ａ」としては、例えば、迫力のある音を再現するために低音のレベルを増やす設定が考えられる。「設定Ｂ」としては、例えば、再生音にメリハリをつける設定が考えられる。なお、再生設定は、図６に示すように音声に関する設定のみであってもよいし、映像に関する設定のみであってもよいし、音声および映像の両方に関する設定であってもよい。
【００３３】
本実施形態では、上記第１およびジャンル関連情報によって設定関連情報が構成される。つまり、設定関連情報記憶部１０は、制作元関連情報を記憶する制作元関連情報記憶部１１と、ジャンル関連情報を記憶するジャンル関連情報記憶部１２を含む。
【００３４】
再生制御部１３は、設定決定部７によって決定された再生設定に従って、記録媒体２に記録されているコンテンツの再生制御を行う。すなわち、再生制御部１３は、読取部３から出力されたコンテンツの映像信号および音声信号に対して、設定決定部７によって決定された再生設定により示される映像効果および／または音響効果を付加し、付加した映像信号および音声信号を図示しない再生装置に出力する。これによって、映像効果および／または音響効果を付加された映像および音声が再生装置によって再生される。
【００３５】
登録部１４は、ユーザからの入力に従って、各種関連情報（暗号鍵関連情報、トレーラ関連情報、および設定関連情報（制作元関連情報およびジャンル関連情報））に新たな情報を登録する。
【００３６】
以上のように、本実施形態では、記録媒体に含まれている情報（制作元情報、使用する暗号鍵、およびトレーラ）に基づいて、記録媒体に記録されているコンテンツの制作元を特定する。ここで、一般的には、１つの制作元が制作しているコンテンツのジャンルは１種類であるので、コンテンツのジャンルを制作元から推測することができる。すなわち、本実施形態では、コンテンツの制作元を特定し、特定した制作元からコンテンツのジャンルを推測し、ジャンルに応じた再生設定を自動的に決定することができるようにする。これによって、本実施形態によれば、ユーザが再生設定を手動で入力する必要がなく、自動的にジャンルに応じた適切な再生設定でコンテンツが再生される。また、コンテンツの制作元に基づいてコンテンツのジャンルを判別することによって、ジャンルの判別を正確に行うことができる。
【００３７】
次に、コンテンツ再生制御装置１の具体的な構成を図７を用いて説明する。図７は、コンテンツ再生制御装置１のハードウェア構成を示すブロック図である。図７は、ＤＶＤを再生するためのＤＶＤプレーヤとしてコンテンツ再生制御装置１を実現した例である。
【００３８】
図７では、記録媒体２は、ＤＶＤ−Ｖｉｄｅｏの光ディスクである。ＤＶＤ−Ｖｉｄｅｏの光ディスクは、ＭＰＥＧ方式で形成された映像データと、ＡＣ−３、ＤＴＳ、ＬＰＣＭ、またはＭＰＥＧオーディオといった方式で形成された音声データとが記録されたものである。
【００３９】
図７において、コンテンツ再生制御装置１は、スピンドルモータ１０１、光ピックアップ１０２、ドライバ１０３、アナログフロントエンド部１０４、映像・音声デコード部１０５、システムコントロール部１０６、入出力インターフェース部１０７、ＳＤＲＡＭ１０８、映像信号処理部１０９、映像用Ｄ／Ａ変換部１１０、音声信号処理部１１１、および、音声用Ｄ／Ａ変換部１１２を備えている。なお、図１に示す読取部３は、スピンドルモータ１０１、光ピックアップ１０２、ドライバ１０３、アナログフロントエンド部１０４、および、映像・音声デコード部１０５に相当する。また、図１に示す制作元特定部４、設定決定部７は、システムコントロール部１０６に相当する。図１に示す再生制御部１３は、映像用Ｄ／Ａ変換部１１０および音声用Ｄ／Ａ変換部１１２に相当する。図１に示す登録部１４は、入出力インターフェース部１０７に相当する。また、図７においては図示していないが、コンテンツ再生制御装置１は、メモリやハードディスク等の記憶装置を備えており、図１に示す暗号鍵関連情報記憶部５、トレーラ関連情報記憶部６、および設定関連情報記憶部１０は、当該記憶装置に相当する。
【００４０】
スピンドルモータ１０１は、光ディスク（記録媒体２）を回転駆動させる。光ピックアップ１０２は、光ディスク１００に記録されているデータを読み出す。ドライバ１０３は、スピンドルモータ１０１および光ピックアップ１０２を制御する。
【００４１】
光ピックアップ１０２で検出されたデータは、アナログフロントエンド部１０４に供給される。アナログフロントエンド部１０４は供給されたデータを整調し、映像・音声デコード部１０５に供給する。映像・音声デコード部１０５は供給されたデータを映像データと音声データとに分離し、デコードする。この映像・音声デコード部１０５には、デコード時の作業領域として用いられるＳＤＲＡＭ１０８が接続されている。また、映像・音声デコード部１０５は、制作元情報および音声情報が記録されている光ディスク１００の所定のエリアに記録されているデータをデコードし、システムコントロール部１０６に供給する。制作元情報および音声情報が記録された所定のエリアは、ディスクフォーマットの規格で決められたエリアである。
【００４２】
システムコントロール部１０６は、光ディスクに記録されているコンテンツの制作元の判定、および、当該コンテンツを再生する際の再生設定の決定等の処理を行う。システムコントロール部１０６はＣＰＵで構成され、所定のプログラムをＣＰＵが実行することによってシステムコントロール部１０６の機能が実現される。また、他の実施形態においては、システムコントロール部１０６は、ＬＳＩ等の集積回路や専用の信号処理回路を用いて１チップ化したものを用いてもよいし、複数のチップで構成されてもよい。なお、ここではＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。さらには、半導体技術の進歩または派生する別技術によりＬＳＩに置き換わる集積回路化の技術が登場すれば、当然、その技術を用いて機能ブロックの集積化を行ってもよい。
【００４３】
システムコントロール部１０６は、映像・音声デコード部１０５からの制作元情報に基づいて、光ディスクに記録されているコンテンツの制作元を判定する。制作元情報は、コンテンツ再生制御装置１に装填された光ディスク２に記録されているコンテンツの権利保有者（製造元）を示すもので、ＤＶＤ−Ｖｉｄｅｏ規格では、ＶＭＧＩ＿ＭＡＴ．ＰＶＲ＿ＩＤに記述されている。また、システムコントロール部１０６は、ＣＳＳ暗号を復号する際に用いる暗号鍵に基づいて制作元を推定する場合もあるし、コンテンツに含まれているトレーラに基づいて制作元を推定する場合もある。なお、システムコントロール部１０６は、映像・音声デコード部１０５からの音声情報に基づいて、光ディスクに記録されたコンテンツデータの音声方式を解析する。音声情報は、光ディスク１００に記録されている音声データが、ＡＣ−３、ＤＴＳ、ＬＰＣＭ、ＭＰＥＧオーディオといった方式のどの方式で符号化されて記録されているかを示す情報である。
【００４４】
さらに、システムコントロール部１０６は、上述の解析による結果に応じて、音声のデコード処理を制御する制御信号を映像・音声デコード部１０５に供給する。この制御信号は、音声データのデコード方式を制御する情報である。また、システムコントロール部１０６は、上述の解析結果を入出力インターフェース部１０７に出力する。入出力インターフェース部１０７は、表示装置を備えており、解析結果をユーザに通知するために表示装置に表示する。また、入出力インターフェース部１０７は、音声方式を選択するための入力等、ユーザからの入力をシステムコントロール部１０６に出力する。
【００４５】
映像・音声デコード部１０５によってデコードされた映像データは、映像信号処理部１０９に供給される。映像信号処理部１０９は、供給された映像データに必要な処理を実施し、映像データを映像用Ｄ／Ａ変換部１１０に供給する。映像用Ｄ／Ａ変換部１１０は、供給された映像データをデジタル信号からアナログ信号に変換し、図示しない再生装置（例えばテレビ）に出力する。一方、映像・音声デコード部１０５によってデコードされた音声データは、音声信号処理部１１１に供給される。音声信号処理部１１１は、供給された音声データに必要な処理を実施し、音声用Ｄ／Ａ変換部１１２に供給する。音声用Ｄ／Ａ変換部１１２は、供給された音声データをデジタル信号からアナログ信号に変換し、図示しない再生装置に出力する。
【００４６】
また、トレーラの映像に基づいて制作元が特定される場合、映像信号処理部１０９は、映像データの中に含まれているトレーラの画像をシステムコントロール部１０６に出力する。システムコントロール部１０６は、上記トレーラ関連情報を参照して、映像信号処理部１０９から出力されたトレーラの画像から制作元を判定する。また、トレーラの音楽に基づいて制作元が特定される場合、音声信号処理部１１１は、音声データの中に含まれているトレーラの音楽をシステムコントロール部１０６に出力する。システムコントロール部１０６は、上記トレーラ関連情報を参照して、音声信号処理部１１１から出力されたトレーラの音楽から制作元を判定する。
【００４７】
制作元が特定されると、システムコントロール部１０６は、上記制作元関連情報を参照して、特定された制作元からコンテンツのジャンルを決定し、さらに、上記ジャンル関連情報を参照して、再生設定を決定する。決定された再生設定を示す情報は、システムコントロール部１０６から映像信号処理部１０９および音声信号処理部１１１に出力される。映像信号処理部１０９は、供給された映像データに対して再生設定に従った必要な処理を実施し、映像用Ｄ／Ａ変換部１１０に供給する。音声信号処理部１１１は、供給された音声データに対して再生設定に従った必要な処理を実施し、音声用Ｄ／Ａ変換部１１２に供給する。
【００４８】
以上のように、本実施形態に係るコンテンツ再生制御装置１は、ＤＶＤ−Ｖｉｄｅｏに記録されたコンテンツをジャンルに応じた映像効果／音響効果を付加して再生することができる。
【００４９】
以下、図８を用いて、コンテンツ再生制御装置１が行う処理の詳細を説明する。図８は、コンテンツ再生制御装置１のシステムコントロール部１０６が実行する処理の流れを示すフローチャートである。図８に示すフローチャートは、例えば記録媒体２である光ディスクがコンテンツ再生制御装置１に装着され、読取部３が記録媒体２に記録されているデータの読み取りを開始することによって開始される。
【００５０】
まずステップＳ１において、制作元特定部４は、記録媒体２に制作元情報が記録されているか否かを判定する。具体的には、システムコントロール部１０６は、映像・音声デコード部１０５から供給された情報を参照して、光ディスク内のコンテンツプロバイダーフィールドに記述があるかを判定する。ステップＳ１の判定において、記録媒体２に制作元情報が記録されている場合（ステップＳ１でＹＥＳ）、ステップＳ２の処理が実行される。ステップＳ２において、制作元特定部４は制作元を特定する。ステップＳ２の後、後述するステップＳ８の処理が実行される。
【００５１】
一方、ステップＳ１の判定において、記録媒体２に制作元情報が記録されていない場合（ステップＳ１でＮＯ）、ステップＳ３の処理が実行される。ステップＳ３において、制作元特定部４は、暗号鍵関連情報記憶部５に記憶されている暗号鍵関連情報を参照して、コンテンツを復号するための暗号鍵を特定する。具体的には、システムコントロール部１０６は、映像・音声デコード部１０５から暗号鍵を取得し、取得した暗号鍵と暗号鍵関連情報において関連付けられている制作元を特定する。なお、図２において示したように、ステップＳ３では、特定される制作元は１つであるとは限らない。
【００５２】
続くステップＳ４において、制作元特定部４は、暗号鍵を用いてコンテンツのジャンルを特定することが可能か否かを判定する。具体的には、制作元特定部４は、まず、暗号鍵関連情報記憶部５に記憶されている暗号鍵関連情報を参照して、ステップＳ３で特定された暗号鍵について、対応する制作元を特定する。ここで、特定される制作元は２つ以上の場合もある。さらに、制作元特定部４は、制作元関連情報記憶部１１に記憶されている制作元関連情報を参照して、特定した各制作元にそれぞれ対応するジャンルを選出する。各制作元に対応するジャンルが全て同じであれば、制作元特定部４は、ジャンルを判別することが可能と判断する。逆に、各制作元に対応する各ジャンルが１つでも同じでないものがあれば、制作元特定部４は、ジャンルを判別することが不可能と判断する。ステップＳ４の処理は、暗号鍵に対応する制作元から再生設定が一意に決まるか否かを判別するための処理である。ステップＳ４の判定において、ジャンルを判別することが可能と判断された場合（ステップＳ４でＹＥＳ）、後述するステップＳ９の処理が実行される。
【００５３】
一方、ステップＳ４の判定において、ジャンルを判別することが不可能と判断された場合（ステップＳ４でＮＯ）、ステップＳ５の処理が実行される。ステップＳ５において、制作元特定部４は、コンテンツに含まれているトレーラを取得する指示を再生制御部１３に対して行い、トレーラの映像および音声を取得する。具体的には、映像・音声デコード部１０５でデコードされた映像データおよび音声データは、それぞれ、映像信号処理部１０９および音声信号処理部１１１に供給される。そして、システムコントロール部１０６は、供給された映像データおよび音声データからトレーラの部分を映像信号処理部１０９および音声信号処理部１１１から取得する。続くステップＳ６において、制作元特定部４は、ステップＳ５で取得されたトレーラの映像（画像）または音声がトレーラ関連情報に登録されているか否かを判定する。
【００５４】
ステップＳ６の判定において、トレーラの画像または音声がトレーラ関連情報に登録されていない場合（ステップＳ６でＮＯ）、後述するステップＳ１０の処理が実行される。一方、トレーラの画像または音声がトレーラ関連情報に登録されている場合（ステップＳ６でＹＥＳ）、ステップＳ７の処理が実行される。ステップＳ７において、制作元特定部４は制作元を特定する。ステップＳ７では、制作元特定部４は、トレーラ関連情報を参照して、ステップＳ６で取得したトレーラの画像または音声に対応する制作元を特定する。ステップＳ７の後、後述するステップＳ８の処理が実行される。
【００５５】
ステップＳ８においては、第１決定部８は、ステップＳ２またはＳ７で特定された制作元の情報が制作元関連情報に登録されているか否かを判定する。制作元の情報が制作元関連情報に登録されていない場合（ステップＳ８でＮＯ）、後述するステップＳ１０の処理が実行される。一方、制作元の情報が制作元関連情報に登録されている場合（ステップＳ８でＹＥＳ）、ステップＳ９の処理が実行される。ステップＳ９においては、第１決定部８は、制作元に対応するジャンルを判別する。すなわち、ステップＳ２またはＳ７において制作元が特定された場合、第１決定部８は、制作元関連情報を参照して、ステップＳ２またはＳ７で特定された制作元に対応するジャンルを判別する。また、ステップＳ４においてジャンルの判別が可能と判定された場合、第１決定部８は、ステップＳ４の判定において判別されたジャンル（暗号鍵に対応する各制作元に対応するジャンル）を、特定すべきジャンルとする。ステップＳ９の次に、後述するステップＳ１２の処理が実行される。
【００５６】
一方、ステップＳ１０においては、登録部１４は、ユーザからの入力を受け付ける。これに応じて、ユーザは、必要な情報を各種関連情報に登録するための入力を行う。例えば、登録部１４は、コンテンツのジャンルをユーザに入力させる。具体的には、登録部１４は、コンテンツのジャンルを入力することを促す文字および／または画像を表示装置に表示し、ユーザからの入力を待つ。続くステップＳ１１においては、登録部１４は、ステップＳ１０で受け付けられた入力結果に基づいて、各種関連情報の内容を変更する。
【００５７】
例えば、ステップＳ７でトレーラの画像および音声が登録されていないと判断された場合、ステップＳ１１においては、登録部１４は、ステップＳ６で再生されたトレーラの画像または音声の少なくとも一方と、ユーザが入力したジャンルとを用いて、トレーラ関連情報および制作元関連情報に新たな内容を追加する。図９は、新たな情報が追加されたトレーラ関連情報の一例を示す図である。図９においては、ステップＳ６で再生されたトレーラの画像３１と、新たな制作元を示す識別番号（図９では、「００００１」）とを関連付けた情報がトレーラ関連情報に追加される。なお、図１０は、トレーラ関連情報がトレーラの音楽に関する場合のトレーラ関連情報の一例を示す図である。また、図１１は、新たな情報が追加された制作元関連情報の一例を示す図である。図１１においては、上記識別番号と、ユーザが入力したジャンル（図１０では、「映画」）とを関連付けた情報が制作元関連情報に追加される。
【００５８】
また、ステップＳ８で制作元が登録されていないと判断された場合、ステップＳ１１においては、登録部１４は、特定された制作元と、ユーザが入力したジャンルとを用いて、暗号鍵関連情報および制作元関連情報に新たな内容を追加する。また、図８には示していないが、ステップＳ４で、暗号鍵が暗号鍵関連情報に登録されていない場合、ステップＳ１０およびＳ１１の処理を実行するようにしてもよく、この場合、登録部１４は、暗号鍵とユーザが入力したジャンルとを関連付けた情報を暗号鍵関連情報に追加する。
【００５９】
ステップＳ１２においては、第２決定部９は、判別されたジャンルに基づいて、コンテンツを再生する際の再生設定を決定する。ここで、判別されたジャンルとは、ステップＳ１０で判別されたジャンル、または、ステップＳ１１でユーザから入力されたジャンルを指す。具体的には、第２決定部９は、ジャンル関連情報を参照して、判別されたジャンルに対応する再生設定を選出する。
【００６０】
以上のステップＳ１〜Ｓ１２の処理が終了すると、再生制御部１３は、決定された再生設定に従ってコンテンツの再生を開始する。これによって、コンテンツのジャンルに応じた適切な再生設定がなされた状態でコンテンツを再生することができる。
【００６１】
なお、上記実施形態においては、コンテンツの制作元を特定するための特定処理として、まず、記録媒体に記録されている制作元情報に基づく特定処理を行う。そして、制作元情報がない場合は、暗号鍵に基づく特定処理を行う。さらに、暗号鍵に基づく特定処理で制作元が特定できない場合は、トレーラに基づく特定処理を行う。ここで、暗号鍵に基づく特定処理およびトレーラに基づく特定処理の前に、制作元情報に基づく特定処理を最初に行うのは、制作元情報に基づく特定処理であれば処理が簡易な方法で制作元を特定することができるからである。また、暗号鍵に基づく特定処理の後にトレーラに基づく特定処理を行うのは、トレーラに基づく特定処理に比べて暗号鍵に基づく特定処理の方が処理が簡易だからである。したがって、本実施形態の順番で特定処理を行うことによって、できるだけ簡易な処理で制作元を特定することができるとともに、特定不可能な場合は他の特定処理を行うことによって確実に制作元を特定することができる。なお、他の実施形態においては、コンテンツ再生制御装置は、上記３つの特定処理のうち、１つまたは２つのみを用いるものであってもよい。
【００６２】
なお、上記実施形態においては、ジャンルは「映画」および「音楽」という２種類に分類され、「映画」および「音楽」の各ジャンルについて再生設定を関連付けるものとした。ここで、他の実施形態では、ジャンルは３種類以上に分類されていてもよい。ジャンルの例としては、例えば、「スポーツ」や「落語」や「朗読」等のジャンルが考えられる。例えば、「スポーツ」というジャンルに対しては、「臨場感が出るように背景音のレベルを上げる」ような再生設定が考えられる。また、「落語」や「朗読」というジャンルに対しては、セリフを明瞭にするような再生設定が考えられる。
【００６３】
また、上記実施形態においては、コンテンツの制作元とコンテンツのジャンルとを関連付け、ジャンルとコンテンツを再生する際の再生設定とを関連付けるようにした。ここで、他の実施形態においては、制作元と再生設定とを直接関連付けるようにしてもよい。なお、上記実施形態では、ジャンルを介して制作元と再生設定とを関連付けることによって、ユーザの登録作業を用意にしている。すなわち、上記実施形態によれば、ユーザは、ジャンルを入力するという簡単な操作だけで登録作業を行うことができる。
【産業上の利用可能性】
【００６４】
本発明に係るコンテンツ再生制御装置は、コンテンツの内容に応じて適切な映像効果および／または音響効果を付与して再生すること等を目的として、例えばＤＶＤプレーヤ等に利用することが可能である。
【図面の簡単な説明】
【００６５】
【図１】本発明の一実施形態に係るコンテンツ再生制御装置の機能的な構成を示すブロック図
【図２】暗号鍵関連情報の一例を示す図
【図３】トレーラ関連情報の一例を示す図
【図４】トレーラ関連情報の他の一例を示す図
【図５】制作元関連情報の一例を示す図
【図６】ジャンル関連情報の一例を示す図
【図７】コンテンツ再生制御装置１のハードウェア構成を示すブロック図
【図８】コンテンツ再生制御装置１のシステムコントロール部１０６が実行する処理の流れを示すフローチャート
【図９】新たな情報が追加されたトレーラ関連情報の一例を示す図
【図１０】トレーラ関連情報がトレーラの音楽に関する場合のトレーラ関連情報の一例を示す図
【図１１】新たな情報が追加された制作元関連情報の一例を示す図
【符号の説明】
【００６６】
１  コンテンツ再生制御装置
２  記録媒体
３  読取部
４  制作元特定部
５  暗号鍵関連情報記憶部
６  トレーラ関連情報記憶部
７  設定決定部
８  第１決定部
９  第２決定部
１０  設定関連情報記憶部
１１  制作元関連情報記憶部
１２  ジャンル関連情報記憶部
１３  再生制御部
１４  登録部
【図１】
2007028306.tif 000003
【図２】
2007028306.tif 000004
【図３】
2007028306.tif 000005
【図４】
2007028306.tif 000006
【図５】
2007028306.tif 000007
【図６】
2007028306.tif 000008
【図７】
2007028306.tif 000009
【図８】
2007028306.tif 000010
【図９】
2007028306.tif 000011
【図１０】
2007028306.tif 000012
【図１１】
2007028306.tif 000013